(57)【要約】【課題】  円弧状搬送部から送られる被搬送物をガイドする構造を備えつつ、ガイド部を開閉させることを可能とした情報処理装置を提供する。【解決手段】  本発明に係る情報処理装置１は、装置ケース７内に、円弧状搬送部２３を構成する、中間ローラ３９及びガイド部３８を備え、円弧状搬送部２３から送り出されてきた用紙Ｐを挟持して搬送する紙送りローラ対２５，２６が円弧状搬送部２３から所定距離離れた位置に設けられており、ガイド部３８は、紙送りローラ対２５，２６側に突出して用紙Ｐをガイドする補助ガイド部材５１を備えるとともに、外壁部１６とともに一体的に回動して開閉可能であり、ガイド部３８が閉じた位置で回動を規制する錠止棒４７，４８の施錠及び解錠を操作可能な開閉レバー４１，４２による解錠操作に連動して補助ガイド部材５１を紙送りローラ対２５，２６から離れる方向に退避させる補助ガイド連動機構５３とを備えている。【選択図】  図３
2006143470.tif 000002
【特許請求の範囲】
【請求項１】
装置ケース内に、略円弧状に湾曲した円弧状搬送部を構成する、中間ローラ及び円弧状のガイド面を有するガイド部を備え、
前記円弧状搬送部から送り出されてきた被搬送物を挟持して処理位置に向かって搬送する紙送りローラ対が前記円弧状搬送部の出口端から所定距離離れた位置に設けられている情報処理装置であって、
前記ガイド部は、前記円弧状搬送部の出口端から前記紙送りローラ対側に突出して前記紙送りローラ対に向けて送られる被搬送物をガイドする補助ガイド部材を備えるとともに、前記ガイド部の外側に位置する前記装置ケースの外壁部とともに一体的に回動して開閉可能であり、
前記ガイド部が閉じた位置で前記回動を規制する錠止部の施錠及び解錠を操作可能な開閉レバーと、
前記開閉レバーによる前記錠止部の解錠操作に連動して前記補助ガイド部材を前記紙送りローラ対から離れる方向に退避させる補助ガイド連動機構とを備えていることを特徴とする情報処理装置。
【請求項２】
請求項１に記載の情報処理装置であって、
前記補助ガイド部材は、前記錠止部の解錠位置から施錠位置への移動に連動して前記紙送りローラ対へ向かって進退移動することを特徴とする情報処理装置。
【請求項３】
請求項１または２に記載の情報処理装置であって、
前記補助ガイド連動機構は、前記開閉レバーの解錠操作に伴って直線移動する第１ラックと、当該第１ラックに噛合して当該第１ラックの直線移動に伴って回転する第１ピニオンと、前記第１ピニオンと同一方向に回転する第２ピニオンと、前記第２ピニオンに噛合する歯が前記補助ガイド部材の退避方向に沿って配列されて前記第２ピニオンの回転に伴う直線移動によって前記補助ガイド部材を退避させる第２ラックとを備えていることを特徴とする情報処理装置。
【請求項４】
請求項１から３の何れか一項に記載の情報処理装置であって、
前記ガイド部が開いている位置で解錠位置にある前記開閉レバーに当接して、前記錠止部を解錠位置に保持するストッパーが設けられていることを特徴とする情報処理装置。
【請求項５】
請求項１から４の何れか一項に記載の情報処理装置であって、
前記錠止部は、施錠位置に向けて弾性付勢されていることを特徴とする情報処理装置。
【請求項６】
請求項１から５の何れか一項に記載の情報処理装置であって、
前記補助ガイド部材は、前記紙送りローラ対から離れる方向に退避した際に、前記外壁部とともに一体的に回動する鍔部に格納されることを特徴とする情報処理装置。
【発明の詳細な説明】
【技術分野】
【０００１】
本発明は、装置ケース内に、略円弧状に湾曲した円弧状搬送部の内面を画成する中間ローラと円弧状搬送部の外面を画成するガイド部とを備え、円弧状搬送部から送り出されてきた被搬送物を挟持して処理位置に向かって搬送する紙送りローラ対が円弧状搬送部の出口端から所定距離離れた位置に設けられている情報処理装置に関するものである。
【背景技術】
【０００２】
上記情報処理装置の一例として、パソコン等に接続されるプリンタ（印刷装置）が挙げられる。
プリンタでは、外観を提供する装置ケース内に、被搬送物である用紙を貯留部から一枚ずつ繰り出して所定の搬送経路に沿って搬送する搬送機構や、搬送経路の途中に装備されて搬送されてくる用紙に文字や図形等の画像を記録する記録部や、必要に応じて記録部に所定の移動動作を付与する記録部操作機構等の各種の動作機器が組み込まれている。
【０００３】
また、プリンタには、装置のコンパクト化や省スペース化のために、用紙の給紙部や印刷処理した用紙の排出部をいずれも装置の前面側に配置したフロント給・排紙タイプのものがある。このようなフロント給・排紙タイプのプリンタでは、通常、給紙用に用紙を収容した用紙カセットを装置前面の下部に配置し、印刷処理後の用紙を排出する排紙トレイを用紙カセットの上方に配置した構成で、用紙カセットと排紙トレイとの間を結ぶ略Ｕ字状の搬送経路が装置ケース内に構築されるとともに、略Ｕ字状の搬送経路の途中に記録部が配置される。
【０００４】
そして、装置ケース内の略Ｕ字状の搬送経路は、例えば、用紙を収容した用紙カセットを開始位置として、中間ローラと略円弧状に湾曲したガイド部とによって画成される円弧状搬送部と、円弧状搬送部の出口端から所定距離離れた位置に配置された紙送りローラ対と、紙送りローラ対の下流側に配置された記録部を経て装置前面の排紙トレイに導く排出搬送機構とにより構成される。
【０００５】
ところで、円弧状搬送部内や、円弧状搬送部から紙送りローラ対までの区間は、用紙の先端部の反り返りやスキューのために、紙ジャムが発生し易い。そこで、紙ジャムが発生した時に、これらの搬送部におけるローラ等を用紙から離間させる接触解除機構を設ける技術が提案されている（例えば、特許文献１参照）。
特許文献１に記載された接触解除機構は、詰まった紙の一端を給紙側又は排紙側から掴んで引っ張り出す際に、ローラの押圧力を解除して、詰まった用紙を引き出し易くするものである。
【０００６】
また、略Ｕ字状の搬送経路で発生した紙ジャムにより詰まった用紙を取り除くために、円弧状搬送部のガイド部をその外側のカバー部分とともに回動により開閉可能とし、円弧状搬送部を外部に露呈させる構造も知られている（例えば、特許文献２参照）。
【０００７】
【特許文献１】特開２００３−１５４６９３号公報
【特許文献２】特許第２５２９２６１号公報
【発明の開示】
【発明が解決しようとする課題】
【０００８】
ところで、前述のような略Ｕ字状の搬送経路における紙ジャムを防止するには、円弧状搬送部と紙送りローラ対との間において、紙ジャムの発生原因となる用紙の先端部の反り
返りやスキューの発生を抑えることが要求される。しかしながら、円弧状搬送部と紙送りローラ対との間で用紙をガイドするために円弧状搬送部を構成するガイド部を紙送りローラ対まで延ばした場合には、紙ジャムが発生した場合に円弧状搬送部のガイド部を開こうとしたときに、ガイド部材が装置内の他の部材等と干渉してしまうため、円弧状搬送部を外部に露呈させることが困難である。
【０００９】
本発明の目的は、円弧状搬送部から紙送りローラ対に送られる用紙（被搬送物）をガイドする構造を備えつつ、ガイド部を開閉させることにより円弧状搬送部を外部に露呈させることを可能として、略Ｕ字状の搬送経路における高い搬送安定性と詰まった被搬送物の除去性を備えた情報処理装置を提供することである。
【課題を解決するための手段】
【００１０】
上記目的を達成することのできる本発明に係る情報処理装置は、装置ケース内に、略円弧状に湾曲した円弧状搬送部を構成する、中間ローラ及び円弧状のガイド面を有するガイド部を備え、前記円弧状搬送部から送り出されてきた被搬送物を挟持して処理位置に向かって搬送する紙送りローラ対が前記円弧状搬送部の出口端から所定距離離れた位置に設けられている情報処理装置であって、前記ガイド部は、前記円弧状搬送部の出口端から前記紙送りローラ対側に突出して前記紙送りローラ対に向けて送られる被搬送物をガイドする補助ガイド部材を備えるとともに、前記ガイド部の外側に位置する前記装置ケースの外壁部とともに一体的に回動して開閉可能であり、前記ガイド部が閉じた位置で前記回動を規制する錠止部の施錠及び解錠を操作可能な開閉レバーと、前記開閉レバーによる前記錠止部の解錠操作に連動して前記補助ガイド部材を前記紙送りローラ対から離れる方向に退避させる補助ガイド連動機構とを備えていることを特徴としている。
【００１１】
このような構成の情報処理装置は、円弧状搬送部から紙送りローラ対に送られる被搬送物をガイドする補助ガイド部材を備えているため、円弧状搬送部と紙送りローラ対との間の搬送を安定させることができる。また、開閉レバーにより錠止部を解錠したときにはその解錠操作に連動して補助ガイド部材が紙送りローラ対から離れる方向に退避するため、補助ガイド部材が装置内の他の部材に干渉することなくガイド部を回動して開くことができ、円弧状搬送部を外部に露呈させることが可能となっている。そのため、万が一被搬送物が詰まった場合でも、補助ガイド部材が設けられていない場合と同様にガイド部を開いてその被搬送物を取り出すことが容易である。
【００１２】
また、本発明に係る情報処理装置において、前記補助ガイド部材は、前記錠止部の解錠位置から施錠位置への移動に連動して前記紙送りローラ対へ向かって進退移動することが好ましい。
【００１３】
このような構成の情報処理装置は、ガイド部が閉じた位置で錠止部が施錠されたときに、その動きと連動して補助ガイド部材が円弧状搬送部の出口端から紙送りローラ対側に突出した位置に配置されるため、当該情報処理装置を稼動させて被搬送物を搬送する際には、円弧状搬送部から紙送りローラ対に送られる被搬送物を必ずガイドすることができる。
【００１４】
また、本発明に係る情報処理装置において、前記補助ガイド連動機構は、前記開閉レバーの解錠操作に伴って直線移動する第１ラックと、当該第１ラックに噛合して当該第１ラックの直線移動に伴って回転する第１ピニオンと、前記第１ピニオンと同一方向に回転する第２ピニオンと、前記第２ピニオンに噛合する歯が前記補助ガイド部材の退避方向に沿って配列されて前記第２ピニオンの回転に伴う直線移動によって前記補助ガイド部材を退避させる第２ラックとを備えていることが好ましい。
【００１５】
このような構成の情報処理装置は、第１ピニオンと第２ピニオンとの歯数比を変更する
ことで、第２ラックの直線移動量を任意に調整することが可能であり、施錠及び解錠に必要となる開閉レバーの移動量に規制されずに、補助ガイド部材の直線移動量を自由に設定することができ、必要十分な突出長の補助ガイド部材を円滑に進退移動させることが可能になる。
【００１６】
また、本発明に係る情報処理装置において、前記ガイド部が開いている位置で解錠位置にある前記開閉レバーに当接して、前記錠止部を解錠位置に保持するストッパーが設けられていることが好ましい。
【００１７】
このような構成の情報処理装置は、被搬送物の詰まりを除去するために、開閉レバーを解錠操作してガイド部を開き始めると、錠止部の一端がストッパーによって解錠状態にロックされるため、開閉レバーを解錠操作していた手を開閉レバーから離しても解錠状態が維持され、ガイド部の開閉操作が容易になる。また、ガイド部を開いた状態で補助ガイド部材を退避位置に維持できるため、詰まった被搬送物を除去する際の作業を補助ガイド部材により妨げることもない。そして、詰まっていた被搬送物を除去した後、ガイド部を閉める場合に、ガイド部が正規の閉じた位置に到達するまでは、錠止部がストッパーによって解錠状態に維持されているため、開閉レバーを操作せずとも補助ガイド部材を退避位置に維持でき、補助ガイド部材を他の部材に衝突させることなくガイド部を閉じた位置に戻すことができる。
【００１８】
また、本発明に係る情報処理装置において、前記錠止部は、施錠位置に向けて弾性付勢されていることが好ましい。
【００１９】
このような構成の情報処理装置は、開閉レバーによる解錠操作を行っている時以外には常に錠止部が施錠位置に配置されるため、当該情報処理装置の通常使用時において確実にガイド部を閉じた位置に維持することができる。さらに、上記のストッパーが設けられている場合には、ガイド部を閉じた位置に戻すと、錠止部とストッパーとの係合が外れて、自動的に錠止部が施錠位置になってガイド部が閉じた位置に固定される。すなわち、ガイド部を閉じる際の操作を簡便にすることができる。
【００２０】
また、本発明に係る情報処理装置において、前記補助ガイド部材は、前記紙送りローラ対から離れる方向に退避した際に、前記外壁部とともに一体的に回動する鍔部に格納されることが好ましい。
【００２１】
このような構成の情報処理装置は、補助ガイド部材が鍔部に格納された状態でガイド部の開閉が行われるため、補助ガイド部材が装置の他の部材に接触して破損してしまうことを防止できる。
【発明の効果】
【００２２】
本発明の情報処理装置によれば、円弧状搬送部から紙送りローラ対に送られる被搬送物をガイドする補助ガイド部材を備えているため、円弧状搬送部と紙送りローラ対との間の搬送を安定させることができるとともに、開閉レバーにより錠止部を解錠したときにはその解錠操作に連動して補助ガイド部材が紙送りローラ対から離れる方向に退避するため、ガイド部を開閉させることにより円弧状搬送部を外部に露呈させることができ、詰まった被搬送物を容易に除去することができる。
【発明を実施するための最良の形態】
【００２３】
以下、本発明に係る情報処理装置の実施形態の一例を、図面を参照しつつ詳細に説明する。
図１〜図７は本発明に係る情報処理装置の一実施形態を示したものであり、図１は本発
明に係る情報処理装置の前面側斜め上方から見た斜視図であり、図２は図１に示した情報処理装置の後面側斜め上方から見た斜視図であり、図３は図１に示した情報処理装置の休止時の用紙繰り出し機構の状態を示す側断面図であり、図４は図１に示した情報処理装置の給紙時の用紙繰り出し機構の状態を示す側断面図であり、図５は図１に示した情報処理装置の印字中の状態を示す側断面図であり、図６は図３に示した開閉カバー及びガイド部との後方から見た分解斜視図であり、図７は図３に示した開閉カバー及びガイド部の前方から見た分解斜視図である。
【００２４】
本実施形態の情報処理装置１は、フロント給・排紙タイプの業務用プリンタであり、図１に示すように、下部ケース３と上部ケース５とから構成される装置ケース７の前面中央に、被搬送物である用紙を装填した略箱形の用紙カセット９が着脱自在に装着されている。また、用紙カセット９の上面開放部を覆うように、印刷が終了した用紙を受ける排紙トレイ１１が装備されている。また、装置ケース７の前面の両側には、動作状態を表示する表示部１３や、操作部１４が設けられている。
【００２５】
装置ケース７内には、図３〜図５に示すように、用紙カセット９に収容されている用紙Ｐを一枚ずつ装置後方に繰り出す用紙繰り出し機構２１と、この用紙繰り出し機構２１が繰り出した用紙Ｐを円弧状の搬送経路に沿って搬送する円弧状搬送部２３と、この円弧状搬送部２３から搬送されてきた用紙Ｐを処理位置に挟持搬送する紙送りローラ対２５，２６と、この紙送りローラ対２５，２６の下流側の水平搬送部において用紙Ｐ上に文字や図形等の画像を記録する処理位置の記録部２９と、記録部２９によって印刷が済んだ用紙Ｐを装置前面の排紙トレイ１１に排出する排出搬送機構３１等が組み込まれている。なお、紙送りローラ対２５，２６は、一方が駆動ローラ２５であり、他方が補助ローラ２６である。
【００２６】
装置ケース７内の用紙カセット９、円弧状搬送部２３、紙送りローラ対２５，２６、排出搬送機構３１、及び排紙トレイ１１は、前面下部の用紙カセット９から一枚ずつ装置後部に繰り出された用紙Ｐを、円弧状の搬送経路によって装置前面側に方向転換する略Ｕ字状の搬送経路を形成している。
【００２７】
用紙繰り出し機構２１は、先端に繰り出し用のピックアップローラ３３を備えたフレーム３４の後端が支持ピン３５によって図中上下方向に回動可能に構成されている。この用紙繰り出し機構２１は、フレーム３４の上下方向の揺動により、用紙カセット９内の最上部の用紙Ｐに対してピックアップローラ３３を接触させることが可能である。用紙繰り出し機構２１は、当該情報処理装置１の休止時には図３に示すようにフレーム３４が水平に維持されて、ピックアップローラ３３が用紙カセット９上の用紙Ｐから離れた状態に保たれる。そして、情報処理装置１の給紙時には、支持ピン３５を中心とするフレーム３４の下方への回動によって、図４に示すように、ピックアップローラ３３が用紙カセット９上の用紙Ｐに押し付けられ、ピックアップローラ３３の回転によって用紙カセット９上の用紙Ｐが傾斜した分離パッド３６に当接して、その摩擦力と用紙Ｐのこしの強さによって分離されながら、一枚ずつ円弧状搬送部２３側に繰り出される。給紙が済んで、記録部２９によって印刷が開始される時には、図５に示すように、フレーム３４は元の水平状態に戻される。
【００２８】
円弧状搬送部２３は、図３〜図５に示すように、搬送経路の外側（情報処理装置１の背面側）に設けられ略円弧状に湾曲したガイド面３７を有するガイド部３８と、搬送経路の内側（情報処理装置１の前面側）に設けられガイド面３７の下方から上方に向かって用紙Ｐを送る中間ローラ３９とを備えた構成である。また、ガイド部３８には、下方側に設けられたリタードローラ２２と、上方側に設けられたアシストローラ２４を有している。そして、ピックアップローラ３３によって送り出された用紙Ｐは、中間ローラ３９とリター
ドローラ２２とによって挟持されて搬送され、さらに中間ローラ３９とアシストローラ２４とによって挟持されて搬送される。これにより、用紙Ｐは、円弧状の搬送経路に沿って搬送され、その先端部が前面側へ向けられてＵ字状搬送経路の直線状経路へ送り出される。
【００２９】
紙送りローラ対２５，２６は、円弧状の搬送経路の出口端（円弧状搬送部２３の下流側端部）から装置前面側に所定距離離れた位置に設けられており、図５に示すように、円弧状搬送部２３から略直線状の経路で送り出されてきた用紙Ｐを挟持して処理位置である記録部２９の下に搬送する。
【００３０】
本実施形態の場合、図２〜図６に示すように、ガイド部３８の後方に位置する装置ケース７の後面の外壁部が、一対の開閉レバー４１，４２のスライド操作による施錠・解錠操作によって開閉可能な開閉カバー１６として形成されている。そして、この開閉カバー１６の内側にガイド部３８が一体的に取り付けられている。したがって、この開閉カバー１６を開くことで、円弧状の搬送経路を外部に露出させることができる。
【００３１】
以下、開閉カバー１６の開閉構造と、開閉カバー１６に一体的に取り付けられたガイド部３８について詳述する。
【００３２】
開閉カバー１６は、図６に示すように、湾曲した後面壁１６ａと、その両側に一体形成された略半月型の側壁１６ｂとを備えていて、側壁１６ｂの下部には、支持ピン１６ｃが突設されている。開閉カバー１６は、両側の支持ピン１６ｃを装置ケース７の対応箇所に回転自在に嵌合させることで、図３に示すように、該支持ピン１６ｃを回転支点とする半径Ｒ１の回動半径で回動可能な状態で装置ケース７に結合されている。また、開閉カバー１６には、図７に示すように装置内に向けて形成された庇状の鍔部１６ｅが一体的に設けられている。
【００３３】
開閉カバー１６に取り付けられた開閉レバー４１，４２は、図６及び図７に示すように、開閉カバー１６の裏面に装着されるスライドガイド４１ａ，４２ａと、これらのスライドガイド４１ａ，４２ａによって図６及び図７に矢印Ａ，Ｂで示す装置幅方向に直線移動（スライド）可能に保持されるレバー本体４１ｂ，４２ｂと、これらのレバー本体４１ｂ，４２ｂを互いに離間する方向に弾性付勢するばね（図示省略）とを備えている。
【００３４】
また、開閉レバー４１，４２には、開閉カバー１６に開口させたレバー操作用の開口部１６ｄ（図６参照）から突出するツマミ４５，４６と、図８に示すように側壁１６ｂの外側に突出することで、装置ケース７側の錠止孔に挿入される錠止部としての錠止棒４７，４８とが一体的に形成されている。
【００３５】
錠止棒４７，４８の先端が装置ケース７側の錠止孔に挿入された状態が施錠状態であって、この状態では開閉カバー１６を開くことができない。施錠状態では、上記ばねの弾性力により錠止棒４７，４８が施錠位置に向けて付勢されているため、開閉レバーによる解錠操作を行わない限り常に錠止棒４７，４８が施錠位置に配置される。そのため、情報処理装置１の通常使用時において確実に開閉カバー１６を閉じた位置に維持することができる。
【００３６】
そして、この施錠状態では、開閉カバー１６の開口部１６ｄに突出している一対のツマミ４５，４６は、図８に示すように、一定距離Ｌだけ離間した状態にある。この状態で、図８に示すように、ツマミ４５，４６の外側面を矢印Ａ，Ｂに示すように、互いに接近する方向に押圧すると、前記ばねの弾性力に抗して一対の錠止棒４７，４８が装置の幅方向の内側にスライド移動する。
【００３７】
図９及び図１０に示すようにして、ツマミ４５，４６が互いに接触するまで押圧されると、それに伴う錠止棒４７，４８のスライド移動によって、各錠止棒４７，４８の先端は、開閉カバー１６の幅寸法内に収まる位置まで退避した状態になる。これによって、各錠止棒４７，４８は、装置ケース７側の錠止孔から完全に離脱し、装置ケース７との錠止が解除された解錠状態になる。この解錠状態にすることで、開閉カバー１６は後方に開くことが可能になる。
【００３８】
ガイド部３８は、図７に示すように、開閉カバー１６の裏面に固定されるガイド本体３８ａと、このガイド本体３８ａ上に装置の幅方向に所定の離間間隔で立設された多数のリブ３８ｂとを備えた構成で、各リブ３８ｂの端縁に形成した湾曲面が、円弧状のガイド面３７を形成する。
【００３９】
また、ガイド部３８には、図５〜図７に示すように、ガイド面３７の出口端から紙送りローラ対２５，２６側に突出して紙送りローラ対２５，２６に向けて送られる用紙Ｐをその自重により押さえて、浮き上がりやスキューの発生を防止する補助ガイド部材５１が取り付けられている。この補助ガイド部材５１は、図７に示すように、用紙Ｐの浮き上がりを抑えるための突起５１ａを、装置の幅方向に適宜間隔で配置した略櫛歯状の構造体である。
【００４０】
本実施形態の情報処理装置１では、開閉レバー４１，４２の施錠・解錠動作に連動して補助ガイド部材５１を紙送りローラ対２５，２６に対して進行・退避させ、開閉レバー４１，４２の解錠動作時には補助ガイド部材５１を紙送りローラ対２５，２６から離れる方向に退避させる補助ガイド連動機構５３が装備されている。
【００４１】
補助ガイド連動機構５３は、第１のラック・ピニオン５５と第２のラック・ピニオン５７とから構成されている。
第１のラック・ピニオン５５は、図７に示すように、開閉レバー４１，４２の施錠時及び解錠時のスライド操作に伴ってスライド移動する第１ラック６１と、この第１ラック６１に噛合してこの第１ラック６１の移動により回転駆動される一対の第１ピニオン６３とからなり、第１ラック６１は開閉レバー４１のレバー本体４１ｂに一体形成されている。
【００４２】
第２のラック・ピニオン５７は、第１ピニオン６３と同軸に一体形成されて第１ピニオン６３と一体回転する第２ピニオン６５と、この第２ピニオン６５に噛合する歯が補助ガイド部材５１の進退方向に沿って配列されて、第２ピニオン６５の回転に伴う直線状の進退動によって補助ガイド部材５１に進退移動を付与する第２ラック６７とからなる。第２ラック６７は、歯が第１のラックの移動方向と直交する方向に並んでいて、第２ピニオン６５の回転によって、第１ラック６１の移動方向と直交する方向に直線移動する。
【００４３】
開閉レバー４１，４２のツマミ４５，４６が解錠操作されないとき、すなわち施錠状態にあるときは、図３に示したように補助ガイド部材５１の先端部は、支持ピン１６ｃからの回転半径がＲ２であり、その状態のまま支持ピン１６ｃを中心に開閉カバー１６を回動させると、補助ローラ２６を支持している支持機構７０に干渉してしまう。しかし、開閉レバー４１，４２のツマミ４５，４６を解錠操作して、補助ガイド連動機構５３によって補助ガイド部材５１が紙送りローラ対２５，２６から離れる方向に退避した状態では、図１１に示すように、補助ガイド部材５１の先端部は、支持ピン１６ｃからの回転半径がＲ３の位置に移動していて、その状態のまま支持ピン１６ｃを中心に回動させても、補助ローラ２６を支持している支持機構７０に干渉することがなく、開閉カバー１６を安全に開くことができる。また、補助ガイド部材５１は、その退避した状態では鍔部１６ｅの内側（下側）に格納されるため、補助ガイド部材５１の先端が装置内の他の部材に接触して破
損することが防がれる。
【００４４】
図１２は開閉レバー４１，４２を解錠状態にして開閉カバー１６を開いている途中の状態の斜視図であり、図１３は図１２に示した開閉カバー１６の裏面のガイド部３８から補助ガイド部材５１を取り外して、第１のラック・ピニオン５５の第１ラック６１が露出した状態の斜視図である。図１３及び図１４に示すように、開閉レバー４１，４２を解錠状態にして開閉カバー１６を開いた時に、解錠位置にスライド移動している開閉レバー４１，４２の一端４１ｄ，４２ｄに当接して、錠止棒４７，４８を解錠位置にロックするストッパー７３，７３が、装置ケース７の後端下部に固定装備されている。ストッパー７３は、開閉カバー１６の下縁が対向する装置ケース７の後端部に形成された係止壁である。
なお、開閉カバー１６を閉じた状態では、開閉レバー４１，４２の一端４１ｄ，４２ｄは、ストッパー７３，７３に係合する位置から外れて、開閉レバー４１，４２の施錠・解錠動作に影響を与えない。
【００４５】
また、補助ガイド連動機構５３は、錠止棒４７，４８が解錠位置から施錠位置へ移動することに伴って補助ガイド部材５１を紙送りローラ対２５，２６へ向かって進行移動させる。すなわち、開閉カバー１６が閉じられた時に錠止棒４７，４８が施錠位置へ移動する動きと連動して補助ガイド部材５１が円弧状搬送部２３の出口端から紙送りローラ対２５，２６側に突出した位置に自動的に配置される。そのため、開閉カバー１６が閉じた位置にあり情報処理装置１を稼動させて用紙Ｐを搬送する際には、円弧状搬送部２３から紙送りローラ対２５，２６に送られる用紙Ｐを補助ガイド部材５１によって必ずガイドすることができる。
【００４６】
以上説明した情報処理装置１では、円弧状搬送部２３から紙送りローラ対２５，２６に送る用紙Ｐの浮き上がりやスキューの発生を防止する補助ガイド部材５１が装備されているため、円弧状搬送部２３と紙送りローラ対２５，２６との間の搬送を安定化、高精度化することができる。そして、補助ガイド部材５１は、装置ケース７の開閉カバー１６の内面に取り付けられるガイド部３８に取り付けられる構成のため、装置ケース７側に補助ガイド部材５１を支持する専用の機構等を組み付ける必要がなく、補助ガイド部材５１の装備が装置ケース７側への組み付け部品の増加による組み立て工程の煩雑化を招くこともない。
【００４７】
また、紙ジャム等によって円弧状搬送部２３内又はその周辺で紙詰まりが発生した場合には、開閉レバー４１，４２を解錠操作して、図１５に示すように開閉カバー１６とともにガイド部３８を開くことで紙詰まり部位を露出させるが、開閉レバー４１，４２を解錠操作した時には、開閉レバー４１，４２の動作に連動して補助ガイド部材５１がガイド部３８内に退避して、図１１に示したように、ガイド部３８から紙送りローラ対２５，２６側への補助ガイド部材５１の突出量が小さくなっている。さらに、補助ガイド部材５１が鍔部１６ｅに格納され、他の部材との接触から保護されている。そのため、開閉カバー１６と一体のガイド部３８の開閉操作に際して、補助ガイド部材５１が周囲の支持機構７０等に干渉することを回避することができ、補助ガイド部材５１の干渉を回避するために装置ケース７内の他の機構等のレイアウトが圧迫されることがなく、ガイド部３８の開閉構造を無理なく装備することが可能になる。
そして、開閉カバー１６を開くことで紙詰まり部位を露出（図１５参照）できるため、紙ジャム等による紙詰まりが発生した場合でも、詰まっている紙に直接的にアクセスできて、用紙Ｐを除去し、紙詰まりを速やかに解消することができる。
【００４８】
また、上記実施形態の情報処理装置１では、紙ジャム等による紙詰まりを解消するために、開閉レバー４１，４２を解錠操作して、開閉カバー１６を開き始めると、開閉レバー４１，４２の一端４１ｄ，４２ｄが装置ケース７側のストッパー７３によって解錠状態に
ロックされる。そのため、開閉レバー４１，４２を解錠操作していた手を開閉レバー４１，４２から離しても解錠状態が維持され、開閉カバー１６の開閉操作が容易になる。また、開閉カバー１６を開いた状態で補助ガイド部材５１を退避位置に維持できるため、詰まった用紙Ｐを除去する際の作業を補助ガイド部材５１により妨げることもない。
【００４９】
そして、紙詰まりしていた用紙Ｐを除去した後、開閉カバー１６を閉める場合に、開閉カバー１６が正規の閉じた位置に到達するまでは、錠止棒４７，４８がストッパー７３によって解錠状態に維持されているため、開閉レバー４１，４２を操作せずとも、補助ガイド部材５１を他の部材に衝突させることなく開閉カバー１６を閉じた位置に戻すことができる。さらに、開閉カバー１６を閉じた位置に戻すと、開閉レバー４１，４２とストッパー７３との係合が外れて、ばねの弾性力により自動的に開閉レバー４１，４２が施錠位置に移動して開閉カバー１６が装置ケース７に固定される。すなわち、開閉カバー１６を閉じる際の操作も簡便にすることができる。
【００５０】
また、上記情報処理装置１では、第１ピニオン６３と第２ピニオン６５との歯数比を変更することで、第２ラック６７の直線移動量を任意に調整することが可能で、施錠・解錠に必要となる開閉レバー４１，４２の移動量に規制されずに、補助ガイド部材５１の直線移動量を自由に設定することができ、必要十分な突出長の補助ガイド部材５１を円滑に進退移動させることが可能になる。
また、第１ラック６１を開閉レバー４１に一体形成しているため、例えば、第２ラック６７を補助ガイド部材５１に一体形成した構成とすれば、補助ガイド部材５１を進退移動させる補助ガイド連動機構５３としての独立した部品を削減することができ、組み立てする部品点数の削減により、組み立て工程を単純化することもできる。
【００５１】
なお、本発明に係る情報処理装置は、上記の実施形態として説明したプリンタに限らない。例えば、コピー機、ファックス、紙幣両替機、発券機など、上記実施形態と同様な略Ｕ字状の搬送経路、又は上記の円弧状搬送部が複数装備される複雑な搬送経路が被搬送物の搬送路として装置ケース内に装備される各種機器に応用することができる。
【図面の簡単な説明】
【００５２】
【図１】本発明に係る情報処理装置の一実施の形態の前面側斜め上方から見た斜視図である。
【図２】本発明に係る情報処理装置の一実施の形態の後面側斜め上方から見た斜視図である。
【図３】図１に示した情報処理装置の休止時の用紙繰り出し機構の状態を示す側断面図である。
【図４】図１に示した情報処理装置の給紙時の用紙繰り出し機構の状態を示す側断面図である。
【図５】図１に示した情報処理装置の印字中の状態を示す側断面図である。
【図６】図３に示した開閉カバー及びガイド部との後方から見た分解斜視図である。
【図７】図３に示した開閉カバー及びガイド部の前方から見た分解斜視図である。
【図８】図３に示したガイド部の開閉レバーが施錠状態にある時の正面図である。
【図９】図２に示した情報処理装置の開閉レバーを解錠状態にしたときの開閉カバーの後方からの斜視図である。
【図１０】図３に示したガイド部の開閉レバーが解錠状態にある時の正面図である。
【図１１】図１に示した情報処理装置の開閉レバーを解錠状態にしたときの補助ガイド部材の退避状態を示す側断面図である。
【図１２】図２に示した情報処理装置の開閉カバーの開途中の状態の斜視図である。
【図１３】図１２に示した開閉カバーから補助ガイド部材を取り外して、第１のラック・ピニオンのラックが露出した状態の斜視図である。
【図１４】開閉レバーを解錠状態にロックするストッパーが装備された本体ケースの後端部の上方から見た斜視図である。
【図１５】図２に示した情報処理装置の開閉カバーを開いた状態の斜視図である。
【符号の説明】
【００５３】
１：情報処理装置、３：下部ケース、５：上部ケース、７：装置ケース、９：用紙カセット、１１：排紙トレイ、１６：開閉カバー、２１：用紙繰り出し機構、２３：円弧状搬送部、２５，２６：紙送りローラ対、２９：記録部、３１：排出搬送機構、３３：ピックアップローラ、３４：フレーム、３５：支持ピン、３７：ガイド面、３８：ガイド部、３９：中間ローラ、４１，４２：開閉レバー、４１ａ，４２ａ：スライドガイド、４１ｂ，４２ｂ：レバー本体、４５，４６：ツマミ、４７，４８：錠止棒、５１：補助ガイド部材、５３：補助ガイド連動機構、５５：第１のラック・ピニオン、５７：第２のラック・ピニオン、６１：第１ラック、６３：第１ピニオン、６５：第２ピニオン、６７：第２ラック、７３：ストッパー
【図１】
2006143470.tif 000003
【図２】
2006143470.tif 000004
【図３】
2006143470.tif 000005
【図４】
2006143470.tif 000006
【図５】
2006143470.tif 000007
【図６】
2006143470.tif 000008
【図７】
2006143470.tif 000009
【図８】
2006143470.tif 000010
【図９】
2006143470.tif 000011
【図１０】
2006143470.tif 000012
【図１１】
2006143470.tif 000013
【図１２】
2006143470.tif 000014
【図１３】
2006143470.tif 000015
【図１４】
2006143470.tif 000016
【図１５】
2006143470.tif 000017